(57)【要約】【課題】  ディスクを装置本体内に挿入した後に、自動で両面記録を行え、片面の容量を越える場合の記録に対しても、人手を必要とせずに自動的に逆面に記録を行える。【解決手段】  トレイ１の側面にラック５が形成されトレイの先端に、ラック６を有するレバー７が枢着され、装置本体８内にトレイ及びレバーのラックに噛み合うピニオン９を回転駆動する駆動モータ１０が配置され、ディスクの表面が記録された後のトレイが外部に出るときにトレイのラックがピニオンの回転で自動的に外側に出され、トレイが外部に出されたときにレバーのラックがピニオンに噛み合ってトレイがレバーの先端に垂直向きに垂れた状態でレバーが外側に出され、トレイを引き込むときにレバーのラックに噛み合うピニオンの駆動モータの反転による反回転でレバーが装置本体内に引き込まれ、トレイは自動的に裏表反転された状態で装置本体内に引き込まれてディスクの裏面が記録される。【選択図】  図６
2006012305.tif 000002
【特許請求の範囲】
【請求項１】
装置本体内に出し入れされるトレイを反転してトレイ上のディスクの表面と裏面に記録させるようにしたディスク装置において、前記トレイの側面にラックが形成されるとともに、トレイの先端に下側にラックを有するレバーが枢着されており、前記装置本体内には、前記トレイの側面のラック及びレバーのラックに噛み合うピニオンとこのピニオンを回転駆動する駆動モータが配置されていて、前記ディスクの表面が記録された後の前記トレイが外部に出されるときには、前記トレイのラックが前記駆動モータの駆動によるピニオンの回転で自動的に外側に出され、更に前記トレイが完全に外部に出されたときには前記レバーのラックが前記ピニオンに噛み合って前記トレイがレバーの先端に垂直向きに垂れた状態で前記レバーが外側に出され、前記トレイを引き込むときには、前記レバーのラックに噛み合う前記ピニオンの前記駆動モータの反転による反回転によって前記レバーが装置本体内に引き込まれ、前記トレイは出された向きより自動的に裏表反転された状態で前記装置本体内に引き込まれて前記ディスクの裏面が記録されるように構成され、前記トレイは、中央部分にディスク収納溝部が設けられ、この収納溝部の両端はトレイ本体内に入り込んで形成され、片側の表裏には、開閉可能な蓋部がそれぞれ設けられていて、この蓋部を開けることにより前記収納溝部にディスクが入り込み、前記蓋部を閉めることによってディスクが収納溝部内にセットされ、前記蓋部を再度開けることによって、ディスクを取り出し可能としたことを特徴とするディスク装置。
【請求項２】
装置本体内に出し入れされるトレイを反転してトレイ上のディスクの表面と裏面に記録させるようにしたディスク装置において、前記トレイの側面にラックが形成されるとともに、トレイの先端に下側にラックを有するレバーが枢着されており、前記装置本体内には、前記トレイの側面のラック及びレバーのラックに噛み合うピニオンとこのピニオンを回転駆動する駆動モータが配置されていて、前記ディスクの表面が記録された後の前記トレイが外部に出されるときには、前記トレイのラックが前記駆動モータの駆動によるピニオンの回転で自動的に外側に出され、更に前記トレイが完全に外部に出されたときには前記レバーのラックが前記ピニオンに噛み合って前記トレイがレバーの先端に垂直向きに垂れた状態で前記レバーが外側に出され、前記トレイを引き込むときには、前記レバーのラックに噛み合う前記ピニオンの前記駆動モータの反転による反回転によって前記レバーが装置本体内に引き込まれ、前記トレイは前記出された向きより自動的に裏表反転された状態で前記装置本体内に引き込まれて前記ディスクの裏面が記録されるように構成されていることを特徴とするディスク装置。
【請求項３】
前記トレイは、中央部分にディスク収納溝部が設けられ、この収納溝部の両端はトレイ本体内に入り込んで形成され、片側の表裏には、開閉可能な蓋部がそれぞれ設けられていて、この蓋部を開けることにより前記収納溝部にディスクが入り込み、前記蓋部を閉めることによってディスクが収納溝部内にセットされ、前記蓋部を再度開けることによって、ディスクを取り出し可能とし、前記トレイ内には先端にチャック爪部を有するターンテーブルが入り込んで、ディスクを前記チャック爪部でターンテーブル上に保持するように構成されている請求項２に記載のディスク装置。
【発明の詳細な説明】
【技術分野】
【０００１】
本発明は、装置本体内に出し入れされるトレイを反転してトレイ上のディスクの表面と裏面に記録させるようにしたディスク装置に関するものである。
【背景技術】
【０００２】
第１の従来技術を図８に示す。これは、情報の書き込みまたは読み出しの終了した装置本体１１５から自動的に引き出された枠状の形状をした反転トレイ部１１４の内側にほ同じく枠状の形状をした反転トレイ１１３が配置されており、回転軸１４１を中心として１８０度回転する。この回転の際に情報記録媒体１１２が反転トレイ１１３から脱落しないように、枠部材１１３Ａの内面における表裏双方の端部に爪部材１４３、１４４が配置されていると共に、カートリッジ状の情報記録媒体１１２の側部からは伸縮爪１１９が突出して枠部材１１３Ｂの図示しない凹部に嵌まり込んでいる。反転トレイ１１３が反転した後の反転トレイ部１１４は再び装置本体１１５内に収容されて、他の面による情報の書き込みまたは読み出しが行われるものである。（例えば、特許文献１参照）。
【０００３】
ところが、これによれば、反転トレイ１１３を手動で反転させなくてはならなかった。また、枠状の形状をした反転トレイ１１３と同じく枠状の形状をした反転トレイ部１１４を必要としているために構造が複雑であった。
【０００４】
第２の従来技術を図９に示す。これは、トレイ２０２から搬送されたカートリッジ２０３に収納し、カートリッジ２０３は反転可能に保持され再生手段からカートリッジ２０３を上下方向に移動させて反転してから再生位置へ移動して再生することにより、表裏とも再生ができるようにしたものである。（例えば、特許文献２参照）。
【０００５】
ところが、これにおいては、トレイ２０２の他にカートリッジ２０３を必要とするために構造が複雑であった。また、図９に示すように、カートリッジ２０３からトレイ２０２を手動で引き出さなくてはならなかった。
【特許文献１】特開２００３−７７２０１号公報
【特許文献２】特開平９−６３１７３号公報
【発明の開示】
【発明が解決しようとする課題】
【０００６】
本発明は、上記従来の実情に鑑みてなされたものであって、ディスクを装置本体内に挿入した後に、自動で両面記録を行うことができ、片面の容量を越える場合の記録に対しても、人手を必要とせずに自動的に逆面に記録を行うことができるディスク装置を提供することを目的としている。
【課題を解決するための手段】
【０００７】
本発明は、上記課題を解決するために提案されたものであって、請求項１に記載の発明は、装置本体内に出し入れされるトレイを反転してトレイ上のディスクの表面と裏面に記録させるようにしたディスク装置において、前記トレイの側面にラックが形成されるとともに、トレイの先端に下側にラックを有するレバーが枢着されており、前記装置本体内には、前記トレイの側面のラック及びレバーのラックに噛み合うピニオンとこのピニオンを回転駆動する駆動モータが配置されていて、前記ディスクの表面が記録された後の前記トレイが外部に出されるときには、前記トレイのラックが前記駆動モータの駆動によるピニオンの回転で自動的に外側に出され、更に前記トレイが完全に外部に出されたときには前記レバーのラックが前記ピニオンに噛み合って前記トレイがレバーの先端に垂直向きに垂れた状態で前記レバーが外側に出され、前記トレイを引き込むときには、前記レバーのラックに噛み合う前記ピニオンの前記駆動モータの反転による反回転によって前記レバーが装置本体内に引き込まれ、前記トレイは出された向きより自動的に裏表反転された状態で前記装置本体内に引き込まれて前記ディスクの裏面が記録されるように構成され、前記トレイは、中央部分にディスク収納溝部が設けられ、この収納溝部の両端はトレイ本体内に入り込んで形成され、片側の表裏には、開閉可能な蓋部がそれぞれ設けられていて、この蓋部を開けることにより前記収納溝部にディスクが入り込み、前記蓋部を閉めることによってディスクが収納溝部内にセットされ、前記蓋部を再度開けることによって、ディスクを取り出し可能としたことを特徴としている。
【０００８】
請求項２に記載の発明は、装置本体内に出し入れされるトレイを反転してトレイ上のディスクの表面と裏面に記録させるようにしたディスク装置において、前記トレイの側面にラックが形成されるとともに、トレイの先端に下側にラックを有するレバーが枢着されており、前記装置本体内には、前記トレイの側面のラック及びレバーのラックに噛み合うピニオンとこのピニオンを回転駆動する駆動モータが配置されていて、前記ディスクの表面が記録された後の前記トレイが外部に出されるときには、前記トレイのラックが前記駆動モータの駆動によるピニオンの回転で自動的に外側に出され、更に前記トレイが完全に外部に出されたときには前記レバーのラックが前記ピニオンに噛み合って前記トレイがレバーの先端に垂直向きに垂れた状態で前記レバーが外側に出され、前記トレイを引き込むときには、前記レバーのラックに噛み合う前記ピニオンの前記駆動モータの反転による反回転によって前記レバーが装置本体内に引き込まれ、前記トレイは前記出された向きより自動的に裏表反転された状態で前記装置本体内に引き込まれて前記ディスクの裏面が記録されるように構成されていることを特徴としている。
【０００９】
請求項３に記載の発明は、前記トレイは、中央部分にディスク収納溝部が設けられ、この収納溝部の両端はトレイ本体内に入り込んで形成され、片側の表裏には、開閉可能な蓋部がそれぞれ設けられていて、この蓋部を開けることにより前記収納溝部にディスクが入り込み、前記蓋部を閉めることによってディスクが収納溝部内にセットされ、前記蓋部を再度開けることによって、ディスクを取り出し可能とし、前記トレイ内には先端にチャック爪部を有するターンテーブルが入り込んで、ディスクを前記チャック爪部でターンテーブル上に保持するように構成されている。
【発明の効果】
【００１０】
請求項１に記載の発明によれば、自動でトレイを出し入れしながら反転させることができるので、ディスクを装置本体内に挿入した後に、自動で両面記録を行うことができ、片面の容量を越える場合の記録に対しても、人手を必要とせずに自動的に逆面に記録を行うことができる。また、トレイ内にディスクを容易に出し入れすることができ、ディスクの保持も確実に行うことができる。
【００１１】
請求項２に記載の発明によれば、自動でトレイを出し入れしながら反転させることができるので、ディスクを装置本体内に挿入した後に、自動で両面記録を行うことができ、片面の容量を越える場合の記録に対しても、人手を必要とせずに自動的に逆面に記録を行うことができる。
【００１２】
請求項３に記載の発明によれば、トレイ内にディスクを容易に出し入れすることができ、ターンテーブルのチャック爪部でターンテーブル上に確実に保持することができる。
【発明を実施するための最良の形態】
【００１３】
以下、本発明に係るディスク装置の実施の形態について、図を参照しつつ説明する。
【００１４】
図１は本発明の実施形態のディスク装置におけるディスクを収納するトレイの斜視図、図２はディスクを収納した状態のトレイの断面図、図３はターンテーブルのチャック爪部でディスクをターンテーブル上に保持した状態を示す断面図である。
【００１５】
本実施形態のディスク装置におけるトレイ１は、中央部分にディスク収納溝部１ａが設けられ、この収納溝部１ａの両端はトレイ本体１Ａ内に入り込んで形成され、片側の表裏には、開閉可能な蓋部２、２がそれぞれ枢着した状態で設けられている。この蓋部２、２を開けることにより収納溝部１ａにディスクＤが入り込み、蓋部２、２を閉めることによってディスクＤが収納溝部１ａ内にセットされ、蓋部２、２を再度開けることによって、ディスクＤを取り出し可能としてある。また、図３に示すように、このトレイ本体１Ａの収納溝部１ａ内に表裏いずれからも入り込むターンテーブル３は、先端にチャック爪部４が設けられている。このチャック爪部４でディスクＤをターンテーブル３上に保持するようになっている。
【００１６】
図４は実施形態のディスク装置において、装置本体内からトレイが出されるときの状態を示す概略部分斜視図、図５は装置本体内からトレイが出されてレバーの先端でトレイが垂れている状態を示す概略部分斜視図、図６はレバーが装置本体内に引き込まれる状態を示す概略部分斜視図、図７はレバーに引き続いてトレイが装置本体内に引き込まれる状態の概略部分斜視図である。
【００１７】
図４、図５、図６、図７に示すように、トレイ１の側面にラック５が形成されるとともに、トレイ１の先端に下側にラック６を有するレバー７が枢着されており、装置本体８内には、トレイ１の側面のラック５及びレバー７のラック６に噛み合うピニオン９とこのピニオン９を回転駆動する駆動モータ１０が配置されている。ディスクＤの表面が記録された後のトレイ１が外部に出されるときには、図４に示すように、トレイ１のラック５が駆動モータ１０の駆動によるピニオン９の回転で自動的に外側に出される。
【００１８】
更にトレイ１が完全に外部に出されたときには、図５に示すように、レバー７のラック６がピニオン９に噛み合ってトレイ１がレバー７の先端に垂直向きに垂れた状態でレバー７が外側に出される。トレイ１を引き込むときには、図６に示すように、レバー７のラック６に噛み合うピニオン９の駆動モータ１０の反転による反回転によってレバー７が装置本体８内に引き込まれる。その後にトレイ１は出された向きより自動的に裏表反転された状態で図７に示すように、装置本体８内に引き込まれてディスクＤの裏面が記録されるようになっている。
【００１９】
従って、本実施形態のディスク装置によれば、自動でトレイ１を出し入れしながら反転させることができるので、ディスクＤを装置本体８内に挿入した後に、自動で両面記録を行うことができ、片面の容量を越える場合の記録に対しても、人手を必要とせずに自動的に逆面に記録を行うことができる。また、トレイ１に蓋部２を設けたので、この蓋部２を開閉することによって、トレイ１内にディスクＤを容易に出し入れすることができ、ディスクＤの保持も確実に行うことができる。また、ターンテーブル３のチャック爪部４でターンテーブル３上に確実に保持することができる。
【図面の簡単な説明】
【００２０】
【図１】本発明の実施形態のディスク装置におけるディスクを収納するトレイの斜視図である。
【図２】ディスクを収納した状態のトレイの断面図である。
【図３】ターンテーブルのチャック爪部でディスクをターンテーブル上に保持した状態を示す断面図である。
【図４】実施形態のディスク装置において、装置本体内からトレイが出されるときの状態を示す概略部分斜視図である。
【図５】装置本体内からトレイが出されてレバーの先端でトレイが垂れている状態を示す概略部分斜視図である。
【図６】レバーが装置本体内に引き込まれる状態を示す概略部分斜視図である。
【図７】レバーに引き続いてトレイが装置本体内に引き込まれる状態の概略部分斜視図である。
【図８】従来のトレイ装置の斜視図である。
【図９】従来のディスク再生装置の分解斜視図である。
【符号の説明】
【００２１】
Ｄ        ディスク
１        トレイ
１Ａ      トレイ本体
１ａ      ディスク収納溝部
２        蓋部
３        ターンテーブル
４        チャック爪部
５        ラック
６        ラック
７        レバー
８        装置本体
９        ピニオン
１０      駆動モータ
【図１】
2006012305.tif 000003
【図２】
2006012305.tif 000004
【図３】
2006012305.tif 000005
【図４】
2006012305.tif 000006
【図５】
2006012305.tif 000007
【図６】
2006012305.tif 000008
【図７】
2006012305.tif 000009
【図８】
2006012305.tif 000010
【図９】
2006012305.tif 000011